(57)【特許請求の範囲】
【請求項１】
開口部が形成される前壁と、切欠部が形成される後壁と、後壁の下端に接続される底壁とにより形成される筐体を有し、
紙葉類鑑別装置の接客部を配置する内部空洞が筐体の上部に形成され、
紙葉類鑑別装置から排出される紙葉類を受取るポケットが筐体の下部に形成され、
後壁の切欠部を通じて内部空洞内に紙葉類鑑別装置の接客部を配置できることを特徴とする紙葉類ラック。
【請求項２】
前壁に形成される開口部は、紙葉類鑑別装置の入口に紙葉類を挿入する入口開口と、内部空洞内の紙葉類を筐体の外部に取り出す排出開口とを備える請求項１に記載の紙葉類ラック。
【請求項３】
紙葉類鑑別装置の排出口から紙葉類が排出されるとき、筐体の前壁は、ポケットからの紙葉類の落下を防止する請求項１又は２に記載の紙葉類ラック。
【請求項４】
紙葉類鑑別装置のケーシング又は遮蔽部材の前側に筐体を取り付けた請求項１に記載の紙葉類ラック。
【請求項５】
前側と後側とを有する遮蔽部材を備え、
遮蔽部材の前側に筐体を取り付け、
遮蔽部材の後側に紙葉類鑑別装置を取り付け、
遮蔽部材に形成される孔部及び後壁の切欠部を通じて紙葉類鑑別装置の接客部を内部空洞内に配置できる請求項１に記載の紙葉類ラック。
【請求項６】
紙葉類鑑別装置の接客部は、接客部の入口に連絡する搬送通路と、
搬送通路の分岐部から分岐されて排出口に連絡する排出通路と、
分岐部に配置される偏向部材とを備え、
入口を搬送通路に接続すると共に、排出通路を搬送通路から分離する受収位置と、排出通路を搬送通路に連絡すると共に、入口を搬送通路から分離する排出位置との間で偏向部材を移動させる請求項１に記載の紙葉類ラック。
【請求項７】
受収位置と排出位置との間で偏向部材を移動するアクチュエータを設けた請求項６に記載の紙葉類ラック。
【請求項８】
偏向部材に対向して排出通路に配置した羽根車により、排出通路を通る紙葉類を内部空洞に向かって偏向しかつ搬送する請求項７に記載の紙葉類ラック。
【請求項９】
紙葉類鑑別装置は、真正で再使用可能な紙葉類を受け取る請求項１に記載の紙葉類ラック。
【発明の詳細な説明】
【技術分野】
【０００１】
本発明は、紙葉類鑑別装置の前方又は前部に取り付けられて紙葉類鑑別装置から排出される紙葉類を収納する紙葉類ラックに関連する。
【背景技術】
【０００２】
自動販売機、券売機、両替機等の紙幣取扱装置に現在使用されている紙幣鑑別装置は、入口に投入される紙幣の真贋を鑑別し、真正と判断した紙幣を紙幣鑑別機のスタッカ内に取り込み、真正と判断できない紙幣を入口に戻す機能がある。入口に戻される紙幣は、操作者が紙幣を引き抜けるように入口から外側に突出する状態に保持されるか又は入口に隣接して自動販売機内に形成されるトレイ内に排出される。
【０００３】
特許文献１は、前面上部に紙幣挿入用及び払出用の開口をケーシングに形成し、上方に配置される入出金用ユニットと、下方に配置されるベースユニットと、これらのユニットの間に配置される一乃至複数段の中間部ユニットとをケーシングの内部に配置し、紙幣の金種を識別する識別装置を有して紙幣挿入用の開口に対応する挿入口から紙幣を導入する紙幣導入機構と、払出用の開口に対応する払出口へ紙幣を導出する紙幣導出機構と、ユニット後部において一端が切替手段を介して紙幣導入機構及び紙幣導出機構に選択的に通じるとともに他端側が当該ユニットの下端部に至る紙幣搬送経路に沿って紙幣の搬送を行う正逆駆動可能な搬送機構とを入出金用ユニットに設け、紙幣収納部と、該紙幣収納部の後方において該ユニットの上端から所定範囲で紙幣を搬送可能とする正逆駆動可能な搬送機構と、搬送機構と紙幣収納部との間で紙幣の取込み、繰出しを可能にする正逆駆動可能な紙幣の取込み繰出し機構とをベースユニットに設け、紙幣収納部と、紙幣収納部の後方において該ユニットの上端から下端にわたる範囲で紙幣を搬送可能とする正逆駆動可能な搬送機構と、搬送機構と紙幣収納庫との間で紙幣の取込み、繰出しを可能にする正逆駆動可能な紙幣の取込み繰出し機構と、上記搬送機構と取込み繰出し機構との間で紙幣移動方向を切り替える切替手段とを中間部ユニットに設けた紙幣処理装置を示す。
特許文献２は、紙葉類投入口から挿入された紙葉類を搬送経路に沿って搬送する搬送手段と、搬送手段により搬送される紙葉類を識別する識別手段と、搬送経路に接続して設けられて識別手段の識別可能位置から紙葉類を退避させる一時退避部と、搬送手段を制御して、識別手段により返却対象と識別された紙葉類を一時退避部へ搬送するとともに、一時退避部へ搬送された紙葉類を識別手段の識別可能位置に搬送して再識別を行う搬送制御手段とを備える紙葉類取扱装置を示す。
特許文献３は、紙幣処理装置本体の正面に取り付けられて紙幣投入口を形成する紙幣案内シュートと、紙幣処理装置本体に取り付けられて紙幣投入口の周囲を囲繞するシュートマウントと、シュートマウントの外側から紙幣処理装置本体に装着されるフロントマスクとを備える紙幣処理装置を示す。
特許文献４は、自動販売機の本体の前面に取り付けられた扉と、扉の表面側に異形穴を有する金銭操作部と、金銭操作部内の異形穴に取り付けられる紙幣投入口と、紙幣投入口に取り付けられた紙幣投入口蓋と、扉の内扉に取り付けられた紙幣識別装置と、紙幣識別装置の反対側で内扉に取り付けられる紙幣導入部と、全周コ字型断面を有する緩衝部材と、コ字型断面の緩衝部材と紙幣導入部との間に配置されるばねとを備える自動販売機の紙幣投入装置を示す。
前記特許文献に示される紙幣鑑別装置は、排出する紙幣を一括して保持することができない欠陥がある。
【先行技術文献】
【特許文献】
【０００４】
【特許文献１】特開２００４−９９９４３
【特許文献２】特開２００４−２２４４７６
【特許文献３】特開２００３−２４２５５３
【特許文献４】実開平４−１２０７５
【発明の概要】
【発明が解決しようとする課題】
【０００５】
本発明は、紙葉類鑑別装置から排出される複数の紙葉類を収容して、紙葉類の散逸又は散逸による汚染を防止する紙葉類ラックを提供することを目的とする。また、本発明は、従来の紙葉類鑑別装置に着脱自在に取り付けられる紙葉類ラックを提供することを目的とする。更に、本発明は、紙葉類鑑別装置から排出される真正で再使用可能な複数の紙葉類を一括して収容する紙葉類ラックを提供することを目的とする。
【課題を解決するための手段】
【０００６】
本発明による紙葉類ラックは、開口部(7)が形成される前壁(4)と、切欠部(5a)が形成される後壁(5)と、前壁(4)の下端と後壁(5)の下端とを接続する底壁(6)とにより形成される筐体(3)を有する。紙葉類鑑別装置(1)の接客部(2)を配置する内部空洞(10)が筐体(3)の上部に形成され、紙葉類鑑別装置(1)から排出される紙葉類を受取るポケット(13)が筐体(3)の下部に形成される。後壁(5)の切欠部(5a)を通じて内部空洞(10)内に紙葉類鑑別装置(1)の接客部(2)を配置できる。前壁(4)に形成される開口部(7)を通じて接客部(2)に設けられる紙葉類鑑別装置(1)の入口(11)に紙葉類を挿入し、接客部(2)に設けられる紙葉類鑑別装置(1)の排出口(12)からポケット(13)内に紙葉類を排出する。紙葉類ラックは、紙葉類鑑別装置から排出される紙葉類を収容して、紙葉類の散逸又は散逸による汚染を防止すると共に、紙葉類ラックに収容される単一又は複数の紙葉類を紙葉類ラックから同時にかつ容易に取り出して、紙葉類を再使用することができる。
【発明の効果】
【０００７】
紙葉類ラックを使用するので、紙葉類を容易に取扱うことができる。
【図面の簡単な説明】
【０００８】
【図１】本発明による紙葉類ラックを取り付けた紙幣鑑別装置の部分断面図
【図２】本発明による紙葉類ラックの正面図
【図３】本発明による紙葉類ラックの側面図
【図４】本発明による紙葉類ラックの斜視図
【図５】パネルに取り付けた本発明による紙葉類ラックの側面図
【図６】図５の背面図
【図７】紙幣を挿入する状態を示す断面図
【図８】接客部から紙葉類ラックのポケット内に紙幣を排出する状態を示す断面図
【図９】ポケット内に紙幣を落下した状態を示す断面図
【図１０】複数の紙幣を収容するポケットを示す断面図
【図１１】受取位置にある偏向部材を示す斜視図
【図１２】受取位置にある偏向部材を示す断面図
【図１３】排出位置にある偏向部材を示す斜視図
【図１４】排出位置にある偏向部材を示す断面図
【図１５】羽根車の駆動系を示す斜視図
【図１６】紙幣鑑別装置に取り付けた紙葉類ラックを示す断面図
【発明を実施するための形態】
【０００９】
紙幣鑑別装置に適用した本発明の紙葉類ラックの実施の形態を図１〜図１６について説明する。本発明では、「紙葉類」は、紙幣、証券、入場券、クレジットカードを含む全てのかつあらゆる有価紙葉又は有価カードを意味するが、本発明では、紙幣として実施の形態を説明する。
【００１０】
本発明による紙葉類ラックは、ボルトとナット等公知の適当な固定装置によりゲーム機又は自動販売機の扉、壁等の遮蔽部材等のドアパネル(15)の前側に取り付けられる筐体(3)を有し、ドアパネル(15)の後側には、紙幣鑑別装置(1)が取り付けられ、紙幣鑑別機(1)の接客部(2)は、筐体(3)内に配置される。
【００１１】
筐体(3)は、開口部(7)が形成される前壁(4)と、切欠部(5a)が形成される後壁(5)と、後壁(5)の下端に接続される底壁(6)と有し、前壁(4)と、後壁(5)と底壁(6)とにより筐体(3)が形成される。前壁(4)は、ほぼ平坦な正面壁(4a)と、正面壁(4a)から湾曲して上方に延伸する上湾曲部及び上湾曲部と後壁(5)の頂部に接続される水平の頂後部を備える上面壁(4b)と、正面壁(4a)から湾曲して側方に延伸する側湾曲部及び側湾曲部と後壁(5)の側部に接続される垂直後部を備える一対の側面壁(4c)とを有する。各側面壁(4c)は、底壁(6)と正面壁(4a)とを湾曲して接続する低側面壁(4d)を有する。
【００１２】
正面壁(4a)、上面壁(4b)、側面壁(4c)及び後壁(5)は、匡体(3)内に内部空洞(10)を形成する。また、正面壁(4a)の下部、底壁(6)、低側面壁(4d)及び後壁(5)は、内部空洞(10)の下方の匡体(3)内にポケット(13)を形成する。前壁(4)に形成される開口部(7)は、正面壁(4a)に形成される入口開口部(8)と入口開口部(8)の下方に排出開口部(9)とを有する。排出開口部(9)を覆って底壁(6)に着脱自在に取り付けられるコ字状を有する金属製柵(14)は、排出開口部(9)からの紙幣の脱落を防止することができる。ポケット(13)は、接客部(2)の排出口(12)から落下する紙幣を収納し、ユーザは、柵(14)の内側にあるポケット(13)内に収容される紙幣を観察しかつ排出開口部(9)から外部に紙幣を取り出すことができる。
【００１３】
図１、図５〜図１０に示す紙葉類ラックの後壁(5)は、ドアパネル(15)の表面に取り付けられ、遮蔽部材(15)の裏面には紙幣鑑別装置(1)が取り付けられる。遮蔽部材(15)に形成される孔部(16)と後壁(5)の切欠部(5a)を通じて紙幣鑑別装置(1)の前部を構成する接客部(2)が内部空洞(10)内に配置される。図１に示すように、接客部(2)には、紙葉類鑑別装置(1)内に紙幣を挿入する入口(11)と、内部空洞(10)内に紙幣を排出する排出口(12)と、入口(11)に連絡して搬送通路(20)の奥と入口(11)との間で移動する紙幣を案内する搬送通路(20)と、搬送通路(20)から分岐して排出口(12)に連絡する排出通路(21)と、排出通路(21)の分岐部(22)に配置された偏向部材(25)とが設けられる。偏向装置(25)は、搬送通路(20)を入口(11)に接続して搬送通路(20)と排出通路(21)とを遮断する図７の受収位置と、搬送通路(20)を排出通路(21)に接続して入口(11)を搬送通路(20)から遮断する図１の排出位置との間で移動することができる。紙幣鑑別装置(1)内には図示しない搬送装置と鑑別センサとが設けられる。
【００１４】
図１１乃至図１４に示すように、接客部(2)の搬送通路(20)に隣接して設けられる偏向部材(25)は、回転軸(30)と、回転軸(30)に接続される複数のデフレクタ(31)と、回転軸(30)の一端に固定されるベルクランク(32)と、入口(11)を搬送通路(20)に連絡すると共に、排出通路(21)を閉鎖する図７、図１１及び図１２に示す受収位置に複数のデフレクタ(31)を付勢する引張ばね(34)と、引張ばね(34)の弾力に抗して図１、図１３及び図１４に示す排出位置に複数のデフレクタ(31)を移動するソレノイド又は電動モータ等のアクチュエータ(26)と、中心軸(38)により回転可能に支持されると共に、デフレクタ(31)の往復ロッド(28)の先端に軸着された一端と、ベルクランク(32)に接触するレバー(37)とを備える。アクチュエータ(26)の非通電時には、複数のデフレクタ(31)は、引張ばね(34)の弾力により受収位置に保持され、デフレクタ(31)が受収位置にあるとき、操作者は、図７に示すように、紙葉類ラックの入口開口部(8)を通じて紙幣鑑別機(1)の接客部(2)の入口(11)に紙幣を挿入することができる。
【００１５】
操作者が入口(11)に紙幣を挿入すると、紙幣鑑別装置(1)内の図示しない搬送装置と鑑別センサとが作動して、紙幣鑑別装置(1)内で自動的に鑑別操作が行われる。挿入された紙幣が紙幣鑑別装置(1)により真正と判断されると、紙幣は、紙幣鑑別装置(1)の図示しない収納庫内に収容される。紙幣鑑別装置(1)内の鑑別センサにより紙幣を真正と判断できない紙幣は、デフレクタ(31)が受収位置に保持されたまま、入口(11)に戻される。
【００１６】
アクチュエータ(26)が作動されると、アクチュエータ(26)は、引込み位置に往復ロッド(28)を内側に引張するので、レバー(37)の下端は、引張ばね３４の弾力に抗してベルクランク(32)を押圧し、ベルクランク(32)と回転軸(30)とを回転して、図１１及び図１２に示す受収位置から図１３及び図１４に示す排出位置に搬送通路(20)の底面(23)から離間させてデフレクタ(31)を移動する。
【００１７】
偏向部材(25)に対向して、配置される羽根車(27)は、搬送通路(20)から排出通路(21)に沿って内部空洞(10)内に紙幣を案内しかつ搬送する。羽根車(27)は、駆動軸(40)と、駆動軸(40)上に一定間隔で取り付けられた複数の羽根(41)と、駆動軸(40)の一端に固定された被駆動歯車(42)と、歯車装置(36)を介して被駆動歯車(42)を駆動する駆動モータ(35)とを備え、歯車装置(36)は、駆動モータ(35)のピニオン(43)に噛み合う入力側と、被駆動歯車(42)に噛み合う出力側とを有する。
【００１８】
引張ばね(34)の弾力によりデフレクタ(31)が図７の受収位置に保持されるとき、内部空洞(10)を通じて紙幣鑑別機(1)の入口(11)内に紙幣が挿入され、紙幣は、デフレクタ(31)及び鑑別センサを通り搬送装置により搬送通路(20)に沿って内側に搬送されて、鑑別され、紙幣鑑別機(1)が真正でかつ再使用可能と判断した紙幣のみを受け取り収納する。
【００１９】
例えば、自動販売機又は紙幣取扱装置等上位のコンピュータからの指令信号により、紙幣鑑別装置(1)が一度受け取った紙幣を返却し又は紙幣を釣銭として出口(12)から払い出すとき、搬送装置は、搬送通路(20)の奥から出口(12)に向って逆に紙幣を搬送すると同時に、アクチュエータ(26)が作動されて、デフレクタ(31)は、受収位置から排出位置に移動されかつ駆動モータ(35)が作動される。図８に示すように、デフレクタ(31)のデフレクタ(31)は、分岐点(22)で搬送通路(20)から排出通路(21)に真正な紙幣を偏向し、羽根車(27)の羽根(41)の各先端でデフレクタ(31)の内面に紙幣を押圧するので、デフレクタ(31)の内面と筐体(3)の前壁(4)の内面とに沿って各紙幣が搬送され、図９及び図１０に示すようにポケット(13)内に確実に落下する。紙幣鑑別機(1)の排出口(12)から紙幣が排出されるとき、筐体(3)の前壁(4)及び柵(14)により、内部空洞(10)からの紙幣の脱落を確実に防止することができる。
【００２０】
このように、本発明の紙葉類ラックは、紙葉類鑑別装置(1)から排出される複数の紙幣を連続的に受け取りかつ保持して、紙幣の散逸と散逸による汚染を防止ことができる。また、操作者は、紙葉類ラックから紙幣を一括して容易に取り出して再使用することができ、紙葉類ラックから排出される紙幣を容易に取り扱うことができる。
【００２１】
本発明の前記実施の形態は、種々の変更が可能である。例えば、遮蔽部材(15)を介して紙幣鑑別装置(1)に紙葉類ラックを取り付ける代わりに、図１６に示すように、ボルト、ナット、その他公知の固定手段により、紙葉類鑑別装置(1)の接客部(2)のケース(2a)に紙葉類ラックを取り付けることができる。
【産業上の利用可能性】
【００２２】
既存の又は新規な紙幣鑑別装置に着脱可能に取り付けられる紙葉類ラックに適用することができる。
【符号の説明】
【００２３】
(1)・・紙幣鑑別装置（紙葉類鑑別装置）、  (2)・・接客部、  (3)・・筐体、  (4)・・前壁、  (5)・・後壁、  (5a)・・切欠部、  (6)・・底壁、  (7)・・開口部、  (8)・・入口開口部、  (9)・・排出開口部、  (10)・・内部空洞、  (11)・・入口、  (12)・・排出口、  (13)・・ポケット、  (15)・・遮蔽部材、  (16)・・孔部、  (20)・・搬送通路、  (21)・・排出通路、  (25)・・偏向部材、  (26)・・アクチュエータ、  (27)・・羽根車、  (30)・・回転軸、  (31)・・デフレクタ、  (32)・・ベルクランク、  (35)・・電動モータ、  (36)・・歯車装置、
【図１】
0005566487.tif 000002
【図２】
0005566487.tif 000003
【図３】
0005566487.tif 000004
【図４】
0005566487.tif 000005
【図５】
0005566487.tif 000006
【図６】
0005566487.tif 000007
【図７】
0005566487.tif 000008
【図８】
0005566487.tif 000009
【図９】
0005566487.tif 000010
【図１０】
0005566487.tif 000011
【図１１】
0005566487.tif 000012
【図１２】
0005566487.tif 000013
【図１３】
0005566487.tif 000014
【図１４】
0005566487.tif 000015
【図１５】
0005566487.tif 000016
【図１６】
0005566487.tif 000017